(57)【要約】【課題】通気性に優れた手摺ユニットの提供【解決手段】手摺ユニット３は、本体部材４と、通気孔Ｈ２を有するパネル部材５と、を備える。本体部材４は、枠体と、枠体に保持された面材７と、を備える。枠体は、面材７を下方から支持する受け枠６１と、受け枠６１の下方に空間Ｓ１を空けて設けられバルコニー躯体２の周縁に載置される下枠６３と、を有する。パネル部材５は上下方向において下枠６３に跨がるように枠体に装着され、空間Ｓ１はパネル部材５により覆われる。【選択図】図６
2018123637.tif 000002
【特許請求の範囲】
【請求項１】
本体部材と、
通気孔を有するパネル部材と、を備え、
前記本体部材は、枠体と、前記枠体に保持された面材と、を備え、
前記枠体は、前記面材を下方から支持する受け枠と、前記受け枠の下方に空間を空けて設けられバルコニー躯体により下方から支持される下枠と、を有し、
前記パネル部材は上下方向において前記下枠に跨がるように前記枠体に装着され、前記空間は前記パネル部材により覆われることを特徴とする手摺ユニット。
【請求項２】
前記空間は、前記パネル部材により前方から覆われると共に、前記通気孔を介して前記パネル部材よりも前方の空間と連通することを特徴とする請求項１に記載の手摺ユニット。
【請求項３】
厚さ方向において、前記受け枠の後方端面は前記下枠の後方端部よりも前方に位置することを特徴とする請求項１又は２に記載の手摺ユニット。
【請求項４】
前記枠体は一対の縦枠を有し、各縦枠は、前記受け枠及び前記下枠と連結された枠本体部と、前記枠本体部から下方に垂下する脚部と、を有し、前記パネル部材は前記脚部に固定されることを特徴とする請求項１〜４の何れかに記載の手摺ユニット。
【請求項５】
前記受け枠の後方には複数の開口部を有する通気板が設けられていることを特徴とする請求項１〜３の何れかに記載の手摺ユニット。
【請求項６】
バルコニー躯体と、
前記バルコニー躯体に支持された請求項１〜４の何れかに記載の手摺ユニットと、
前記受け枠よりも下方位置に配設された床板と、を備えることを特徴とするバルコニー。
【請求項７】
バルコニー躯体と、
前記バルコニー躯体に支持された請求項５に記載の手摺ユニットと、
前記下枠よりも上方位置に配設された床板と、を備えることを特徴とするバルコニー。
【請求項８】
前記パネル部材は、前記バルコニー躯体の側面を覆うことを特徴とする請求項６又は７に記載のバルコニー。
【発明の詳細な説明】
【技術分野】
【０００１】
本発明は、通風に優れた手摺ユニット及びこれを備えたバルコニーに関する。
【背景技術】
【０００２】
従来のバルコニーとして、バルコニー躯体の周縁部に手摺が装着され、バルコニー躯体の側面に化粧胴差が装着されて構成されたものが挙げられる。手摺は住居者の安全を守るものであるが、建物の意匠性を考慮して、ガラス製の面材を採用した手摺も提案されている。
【先行技術文献】
【特許文献】
【０００３】
【特許文献１】特開第２０００−４５３８２号
【特許文献２】特開第２０１３−５３４１９号
【発明の概要】
【発明が解決しようとする課題】
【０００４】
しかしながら、ガラス製の面材を用いた従来の手摺では通気性が悪くなり、バルコニー内に空気が溜まりやすくなるという問題があった。そこで、特許文献１のように通気孔が穿孔された面材を用いれば通気性の問題は解決できるものの、全ての場合において面材に通気孔を穿孔させると、使用可能な面材の種類が限定されてしまうという問題があった。
【０００５】
本発明は、通気性に優れた手摺ユニットの提供を目的とする。
【課題を解決するための手段】
【０００６】
本発明に係る手摺ユニットは、本体部材と、通気孔を有するパネル部材と、を備え、前記本体部材は、枠体と、前記枠体に保持された面材と、を備え、前記枠体は、前記面材を下方から支持する受け枠と、前記受け枠の下方に空間を空けて設けられバルコニー躯体により下方から支持される下枠と、を有し、前記パネル部材は上下方向において前記下枠に跨がるように前記枠体に装着され、前記空間は前記パネル部材により覆われることを特徴とする。
【０００７】
また、前記空間は、前記パネル部材により前方から覆われると共に、前記通気孔を介して前記パネル部材よりも前方の空間と連通することを特徴とする。
【０００８】
また、厚さ方向において、前記受け枠の後方端面は前記下枠の後方端部よりも前方に位置することを特徴とする。
【０００９】
また、前記枠体は一対の縦枠を有し、各縦枠は、前記受け枠及び前記下枠と連結された枠本体部と、前記枠本体部から下方に垂下する脚部と、を有し、前記パネル部材は前記脚部に固定されることを特徴とする。
【００１０】
更に、前記受け枠の後方には複数の開口部を有する通気板が設けられていることを特徴とする。
【００１１】
本発明のバルコニーは、バルコニー躯体と、前記バルコニー躯体に支持された上記手摺ユニットと、前記受け枠よりも下方位置に配設された床板と、を備えることを特徴とする。
【００１２】
本発明のバルコニーは、バルコニー躯体と、前記バルコニー躯体に支持された上記手摺ユニットと、前記下枠よりも上方位置に配設された床板と、を備えることを特徴とする。
【００１３】
また、前記パネル部材は、前記バルコニー躯体の側面を覆うことを特徴とする。
【発明の効果】
【００１４】
本発明の手摺ユニット及びバルコニーによれば、受け枠と下枠の間には空間が設けられ、当該空間は通気孔を有するパネル部材により覆われるので、仮に通気性を有しない面材を用いた場合であっても、パネル部材の通気孔により通気性を確保できる。また、当該空間はパネル部材を覆われるので、当該空間が過度に露出するのを防止できる。
【００１５】
また、パネル部材はバルコニー躯体の側面を覆うので、パネル部材に化粧胴差としての機能を持たせることができる。
【図面の簡単な説明】
【００１６】
【図１】本発明の第１実施形態に係るバルコニーの要部斜視図。
【図２】図１に示すバルコニーの分解斜視図。
【図３】図１のバルコニーにおける支柱の取付を説明する図。
【図４】図１のバルコニーが備える手摺ユニットの本体部材を示す図であって、（ａ）は平面図、（ｂ）は正面図、（ｃ）は右側面図。
【図５】図４（ｂ）のＶ―Ｖ線断面図。
【図６】（ａ）は図１のＶＩーＶＩ線断面図、（ｂ）は図１のＶＩ−ＶＩ線端面図。
【図７】本発明の第２実施形態に係るバルコニーを示す図であって、（ａ）は断面図、（ｂ）は端面図。
【図８】図７のバルコニーが備える本体部材の後方斜視図。
【発明を実施するための形態】
【００１７】
［第１実施形態］
以下、添付図面を参照して、本発明の第１実施形態に係る手摺ユニット及びこれを備えたバルコニーについて説明する。図１〜図３を参照して、本実施形態に係るバルコニー１は、躯体（バルコニー躯体）２と、躯体２に装着された手摺ユニット３と、を備える。
【００１８】
躯体２は、フレーム２１と、フレーム２１の周縁部に適宜の間隔で立設された複数本の支柱２２と、これら支柱２２に固定された水切カバー２３と、を備える。より具体的に、各支柱２２は、その下端部に設けられた左右一対の固定ブラケット２２ａと、固定ブラケット２２ａの上方に設けられた左右一対の支持ブラケット２２ｂを有し、固定用ブラケット２２ａはフレーム２１の側面２１ａに図示しないボルト等により固定されている。水切カバー２３には複数の支柱２２をそれぞれ挿通させるための複数の貫通孔２３ａが設けられており、複数の支持ブラケット２２ｂにより下方から支持される。
【００１９】
手摺ユニット３は、隣接する支柱２２間に装着される１個又は複数個の本体部材４と、本体部材４に装着される少なくとも１個のパネル部材５と、本体部材４の上部を覆う笠木９と、を備える。ここでは、３個の本体部材４と１個のパネル部材５の場合を例に説明する。
【００２０】
各本体部材４は、枠体６と、枠体６に保持された正面視矩形状の面材７と、を備え、図４及び図５に示すように、枠体６は、左右方向Ｄ１に延びる受け枠６１、上枠６２及び下枠６３と、上下方向に延びる左右一対の縦枠６４と、を有する。
【００２１】
受け枠６１の上面及び上枠６２の下面にはそれぞれ凹状部が形成されており、面材７はその下端及び上端がこれら凹状部に挿入されて受け枠６１により下方から支持されると共に上枠６２により上方から支持されている。下枠６３は受け枠６１の下方に空間Ｓ１を空けて設けられ、縦断面視略下向きコ字状を有する。また、下枠６３は受け枠６１よりも後方（室内側）に延出し、図５に示すように下枠６３の後端部６３ａは受け枠６１の後端部６１ａよりも後方に位置している。下枠６３は躯体２により下方から支持されるものであって、本実施形態においては図６に示す様に水切カバー２３に載置されて支持される。
【００２２】
図４を参照して、一対の縦枠６４は、面材７を左右両側から支持するものであり、受け枠６１、上枠６２及び下枠６３により相互に接続されている。また、各縦枠６４は、受け枠６１や下枠６３を支持する枠本体部６４ａと、枠本体部６４ａの下端から下方に延出する脚部６４ｂと、を有する。図５に示すように、厚さ方向（前後方向）Ｄ２において、枠本体部６４ａの幅寸法は、下枠６３の幅寸法とほぼ同一であり、枠本体部６４ａの後端面６４ａ１は下枠６３の後端部６３ａと実質面一とされている。また、脚部６４ｂの前端面６４ｂ２は枠本体部６４ａの前端面６４ａ２と面一とされている。一方、厚さ方向Ｄ２において脚部６４ｂの幅寸法は枠本体部６４ａの幅寸法より小さく、脚部６４ｂの後端面６４ｂ１は枠本体部６４ａの後端面６４ａ１よりも前方に位置している。よって、図１及び図６に示す様に本体部材４を所要の通りに躯体２に取り付けると、枠体６の脚部６４ｂは躯体２の側面２ａに沿って垂下する。
【００２３】
面材７は枠体６により保持できるものであれば、その素材や形状に制限がなく、例えば硝子製、樹脂製、金属製、又は木製等であっても良く、通気性（通気孔）を有するものであっても有しないものであっても構わない。
【００２４】
パネル部材５は本体部材４の縦枠６４（より具体的には脚部６４ｂ）に前方即ち屋外側からボルト等の固定手段（図示せず）により固定され、少なくとも本体部材４の受け枠６１よりも下方部位を覆う。本例では、パネル部材５は左右方向Ｄ１において３個全ての本体部材４に跨がる様に設置される。また、図２に示すようにパネル部材５は複数の通気孔Ｈ１を有し、パネル部材５の前後空間はこれらの通気孔Ｈ１を介して連通される。より具体的に、本実施形態のパネル部材５は、上下方向に間隔を空けて並列された複数本の横棒５１と、これら横棒５１の間に上下方向に掛け渡された複数本の縦棒５２からなる横格子からなり、横棒５１同士の間に設けられた隙間が通気孔Ｈ１として機能する。
【００２５】
このように構成された手摺ユニット３は次の様にして躯体２に取り付けられる。まず、図２に矢印Ａ１で示す様に各本体部材４を隣接する支柱２２の間の空間Ｓ３に上方から差し込む様にして下枠６３を躯体２の周縁部（本実施形態では水切カバー２３）に上方から当接させる。これにより、本体部材４は躯体２により下方から支持され、また支柱２２を挟んで隣接する本体部材４の縦枠６４同士が連結される。なお、縦枠６４同士の連結構造は周知であるので説明は省略する。次に、図示しない固定金具を支柱２２に上方から固定し、笠木９を複数の本体部材４に掛け渡すように覆い被せて固定する。
【００２６】
次に、図１及び図６に示す様にパネル部材５を本体部材４の縦枠６４の前面側に固定し、本体部材４の空間Ｓ１を覆う。このとき、パネル部材５の上端は本体部材４の受け枠６１の上端と実質同一の高さ位置とするのが好ましい。その後、図示しない床板を配設する。なお、この床板は、床面Ｆ１（図６）が受け枠６１よりも下方位置であって、下枠６３の上面と略同一高さとなるように配設される。
【００２７】
このようにパネル部材５を取り付けることにより、空間Ｓ１がパネル部材５により覆われ、パネル部材５が目隠しの役割を果たす。また、バルコニー１の内側空間Ｓ３と外側空間Ｓ４とは矢印Ａ３で示すようにパネル部材５の通気孔Ｈ１を介して連通されるので、通気性を有しない面材７を用いた場合であってもバルコニー１の内側空間Ｓ３に空気が籠もるのを防止でき、使用する面材７の自由度を向上できる。
また、このように設置されたパネル部材５は躯体２の側面２ａを覆い化粧する。よって、躯体２の側面２ａに化粧胴差を別途設置する必要がなく、バルコニー１の建築に要する手間を簡略化することができる。
【００２８】
更に、パネル部材５は、内側空間Ｓ３への通気を確保するための通気板と躯体２の側面２ａを覆う化粧胴差としての機能を併せ持つので、これらを別体とした場合よりもデザインの一体化が図られ、意匠性を高めることができる。
【００２９】
なお、バルコニー１としてはインナータイプのバルコニーであってもよく、１個又は複数個の出隅を有するバルコニーであってもよい。また、本体部材４及びパネル部材５の数に制限はなく、それぞれ１個以上あれば良い。
【００３０】
［第２実施形態］
次に、本発明の第２実施形態に係るバルコニーについて図７及び図８を参照して説明する。本実施形態に係るバルコニー１０１は、躯体２と、躯体２に装着された手摺ユニット１０３と、を備える。躯体２は第１実施形態のものと同一である。手摺ユニット１０３は上述した手摺ユニット３と実質同一であるが、本体部材４に通気板３１が設けられている点で異なる。通気板３１は下枠６３よりも上方位置であり受け枠６１とほぼ同一高さ位置となるよう、受け枠６１の後方に一対のブラケット３２を介して縦枠６４の枠本体部６４ａ間に装着されている。通気板３１は複数の開口部Ｈ２が設けられた長尺部材であって、これらの開口部Ｈ２は通気板３１をその厚さ方向に貫通する。通気板３１としては例えばグレーチングやパンチングメタル等を用いることができ、また開口部Ｈ２の形状に制限はない。
【００３１】
このバルコニー１０１は、躯体２に上述した手摺ユニット３と同一の手順で手摺ユニット１０３が装着された後に、床面Ｆ２が通気板３１と略同一高さとなる（即ち、床面Ｆ２が空間Ｓ１よりも上方に位置する）ように図示しない床板が配設されて構成される。
【００３２】
かかる構成においても、バルコニー１０１の内側空間Ｓ３は、通気板３１の開口部Ｈ２、空間Ｓ１、パネル部材５の通気孔Ｈ１を介して外部空間Ｓ４と連通するので、矢印Ａ４で示すように空気の通りみちが確保され、バルコニー１０１の内側空間Ｓ３に空気が籠もるのを防止できる。
【００３３】
また、本実施形態においても、パネル部材３が躯体２の側面２ａを覆い化粧するので、化粧胴差を別途躯体２に設ける必要がなく、バルコニー１０１の設置工程を簡略化できると共に、デザインの一体性を図ることができる。
【００３４】
このように、手摺ユニット３をバルコニー１に用いることにより外気を内側空間Ｓ３へ水平方向に導入することができ、手摺ユニット１０３をバルコニー１０１に用いることにより外気を垂直方向に導入することができる。また、手摺ユニット３に通気板３１を取り付けるだけで手摺ユニット３を手摺ユニット１０３として利用できるので、手摺ユニット３を外気水平導入型のバルコニー１と外気垂直導入型のバルコニー１０１の双方に共通に使用することができ、使い勝手を向上できる。
【００３５】
以上、本発明の実施形態に係る手摺ユニット及びバルコニーについて添付の図面を参照して説明したが、本発明はかかる実施形態に限定されず、本発明の範囲を逸脱することなく種々の変形、修正が可能である。
【００３６】
例えば、上記実施形態では、パネル部材５として横格子を用いたが、通気性（通気孔）を有するものであればこれに限定されず、例えば縦格子や斜格子、パンチングパネル等であっても構わない。
【００３７】
また、上記実施形態においては支柱２２は躯体２の側面２ａに固定されるが、支柱２２がバルコニー躯体に埋め込まれて固定されたものであっても良く、その固定方法に限定はない。
【００３８】
更に、上記実施形態においては、パネル部材５は本体部材４の受け枠６１から下方部位を覆うように取り付けられたが、パネル部材５により面材７の一部又は全体を前方から覆うようにすることもできる。  
【符号の説明】
【００３９】
１，１０１  バルコニー
２，  躯体
３，１０３  手摺ユニット
４  本体部材
５  パネル部材
６  枠体
７  面材
９  笠木
２２  支柱
６１  受け枠
６３  下枠
６４  縦枠
Ｓ１  空間
Ｈ１  通気孔
Ｈ２  開口部  
【図１】
2018123637.tif 000003
【図２】
2018123637.tif 000004
【図３】
2018123637.tif 000005
【図４】
2018123637.tif 000006
【図５】
2018123637.tif 000007
【図６】
2018123637.tif 000008
【図７】
2018123637.tif 000009
【図８】
2018123637.tif 000010